(57)【要約】【課題】  小型で生活において邪魔にならず、住宅の美観を損ねることなく、また、検針の際に危険である等の問題を伴わないような場所に設置することを可能とする計量計を提供すること【解決手段】  各使用者単位毎にエネルギーの使用量を計量する計量部１０と、その計量部によって得られた計量値を表示する表示部１４とを別体に構成し、それぞれを別の領域に設置可能とする。計量部１０と表示部１４をそれぞれの機能に応じて別の設置箇所に設置することが可能となる。これにより、例えば、利用者は普段取り扱う必要がない計量部１０を通行等の邪魔にならない場所に設置することが可能となり、一方、表示部１４は建物の外などの私的な生活領域外に設置することが可能になる。従って、美観の維持、住民の不安解消などの効果を得ることができる。【選択図】図１
2006337265.tif 000002
【特許請求の範囲】
【請求項１】
各使用者単位毎にエネルギーの使用量を計量する計量部と、
前記計量部によって得られた計量値を表示する表示部と、を少なくとも備えた計量計において、
前記計量部と前記表示部とを別体に構成し、それぞれを別の領域に設置可能にしたことを特徴とする計量計。
【請求項２】
前記表示部は、
計量対象である集合住宅における共用領域に設置されたことを特徴とする請求項１に記載の計量計。
【請求項３】
前記表示部は、
計量対象の建物内で生活をする人が使用する郵便受けに設置されていることを特徴とする請求項１に記載の計量計。
【請求項４】
前記計量部は、
前記建物内において、生活の場となる領域に対しての隠蔽部となる領域に設置されたことを特徴とする請求項２又は３の何れか１項記載の計量計。
【請求項５】
前記計量部と前記表示部とは、
信号の伝達において、無線で前記伝達がなされることを特徴とする請求項１〜４の何れか１項に記載の計量計。
【発明の詳細な説明】
【技術分野】
【０００１】
本発明は、生活におけるエネルギーの使用量を計量し、計量値を表示する計量計に関するものである。
【背景技術】
【０００２】
一般に計量計は生活におけるエネルギーの使用量を計量する計量部と、計量されたエネルギーの使用量等を表示する表示手段を備えた表示部とからなる。ここで、生活におけるエネルギーとは、例えば、電気、ガス、水道等である。従来では、ほとんどの場合、表示部と計量部が１つの装置として一体化されている。また、このような計量計は通常、住宅の壁面や、マンションなどの集団住宅における各部屋の玄関扉の上部などに設置されていた。
【０００３】
また、「表示部」と「計量部」の概念を区別して構成した計量計も使用されており、例えば、特開平１１−３３７５８５号公報（特許文献１）では、エネルギー計量計として電力量計を用い、計量部で計量される電力量から使用料金を計算する際に、時間帯により使用料金が異なるため、時間帯ごとの使用料金を算出する計量部と、その料金を表示する表示部とを１つの装置内で別の部分に設置している。
【０００４】
【特許文献１】特開平１１−３３７５８５
【発明の開示】
【発明が解決しようとする課題】
【０００５】
しかし、表示部と計量部が１つの装置に組み込まれている計量計は、一般に大型で通行等の邪魔となる。例えば、隣の家との距離があまりない一戸建て住宅の壁面にこのような計量計が設置されていると、家と家との間はその計量計のために通りづらくなる。また、このような計量計は、見栄えが悪く新築の住宅では大きく美観を損ねることもある。そこで、計量計を目立たない場所に設置すると、計量値のチェックを行う段階で見にくく例えば、地中に設置した場合は駐車車両があり見れない場合など不便なものとなる。更に、住人でない検針員が建物内に入る事により、住民に不安を与えることがあった。また、取り付け場所が高所となる場合検針が困難で、大変危険であることが考えられる。
【０００６】
また、特許文献１に開示されている計量計は、表示部と計量部が概念的に明確に区別されて構成されてはいるが、１つの装置の内部で表示部と計量部が分離されているだけで、完全に別体として構成されているわけではなかった。従って、装置の設置箇所の選定の自由度は相変わらず制限されており、設置による美観の低下や部外者の居住エリアへの進入などによる不安感、更には計量計自体が大型に構成されてしまう等の諸問題は解決されていない。
【０００７】
本発明はこのような事情を鑑みてなされたものであり、その目的は小型で生活において邪魔にならず、住宅の美観を損ねることなく、また、検針の際に危険である等の問題を伴わないような場所に設置することを可能とする計量計を提供することにある。
【課題を解決するための手段】
【０００８】
上記の目標を達成するために、請求項１に係る計量計は、
各使用者単位毎にエネルギーの使用量を計量する計量部と、前記計量部によって得られた計量値を表示する表示部と、を少なくとも備えた計量計において、前記計量部と前記表示部とを別体に構成し、それぞれを別の領域に設置可能にしたことを特徴とする。
【０００９】
これにより、計量部と表示部のそれぞれの大きさが一体化されている従来の計量計より小さくすることが可能である。従って、住んでいる住民は、普段取り扱う必要がない計量部を通行等の邪魔にならない場所に設置することが可能となる。一方、表示部に関しては家の外などに設置することにより、他人である検針員が住民の私的な生活領域に入らずに検針を行うことが出来るので、住民は安心して検針を受けることが出来る。また、表示部設置の際に高所などの危険な位置に設置しなければ、検針の際に危険を伴わない。
【００１０】
請求項２に係る計量計は、
前記表示部は、計量対象である集合住宅における共用領域に設置されたことを特徴とする。ここで、共用領域とは集合住宅において、各住民個人の私的な領域ではなく、集合住宅に住む住民が共同で使う場所を指す。例えば、エントランスフロアーやエントランスの外の建物近傍である。これにより、検針員は各住民の私的な領域に入ることなく、共用領域において検針を行えるので、他人が私的な領域に入ってくることに対して不安を感じる住民でも、安心して検針を受けることが出来る。
【００１１】
請求項３に係る計量計は、
前記表示部は、前記建物内で生活をする人が使用する郵便受けに設置されていることを特徴とする。これにより、検針員が建物内に住んでいる人の私的使用領域に立ち入ることなく、郵便受けに設置されている計量計の表示部をチェックするだけで、検針を行うことが出来るので、住民は他人である検針員を敷地内に入れることなく検針を受けられる。一方検針員にとっては、検針を行う際に全戸の表示部を同じ場所でチェックすることが出来るので、従来よりも効率的に検針を行うことが出来る。
【００１２】
請求項４に係る計量計は、
前記計量部は、前記建物内において、生活の場となる領域に対しての隠蔽部となる領域に設置されたことを特徴とする。これにより、上記請求項１の計量計の作用に加えて、計量部が設置されている様子は生活の場から見えないので、新築住宅などにおいても、美観が損なわれることはない。
【００１３】
請求項５に係る計量計は、
前記計量部と前記表示部とは、信号の伝達において、無線で前記伝達がなされることを特徴とする。これにより、配線の困難性を考慮する必要がないので、計量計の表示部と計量部を設置する場所選定の自由度が増す。例えば、距離が離れているため、表示部と計量部を繋ぐ電線が引けない場所であっても設置可能である。
【発明の効果】
【００１４】
本発明に係る計量計によれば、使用量を表示する表示部と、それを計量する計量部とを別体で設置可能に構成したことにより、計量部と表示部のそれぞれを離れた場所に自由に設置することが出来る。これにより、住民にとっては検針員を建物内の私的領域に入れることなく検針を受けることが可能となったり、表示部の小型化により、設置場所に困らず地上から検針時に危険を伴わない程度の高さに設置すること等が可能となる。また、この分離装置により計量部を建物内における生活領域から見えない場所に設置することも許容され、新築住宅などの美観が損ねられることがなくなる。
【発明を実施するための最良の形態】
【００１５】
以下、本発明における実施の形態について、図面を参照にして詳細に説明する。図１（A）及び（B）は、本発明の計量計を電力量計に応用した例を示している。本発明における特徴的な事項は、計量部と表示部とを別体に構成したことであり、図示の様に別体の計量部と表示部とにより分離型電力量計が構成されている。同図（A）は計量部１０の構成を示しており、同図（B）は表示部１４の構成を示している。
【００１６】
この分離型電力量計の計量部１０には、計量した電力量や使用料金の結果のデータを送信するデータ送信部１２が設置され、一方、表示部１４には、計量部１０のデータ送信部１２からのデータを受信するデータ受信部１６と、そのデータである電力量や使用料金を表示するための液晶表示板１８が設置されている。また、本実施の形態では、計量部１０のデータ送信部１２と表示部１４のデータ受信部１６の間のデータ受信手段を無線通信としたが、有線による接続手段を用いてもよい。
【００１７】
図２は、図１に示した分離型電力量計を実際に民家に設置した状態を示している。なお、図１と同様の要素には、同一の符号を付しその説明を省略する。民家２０の床２２の下部である床下部２４には、計量部１０が設置されている。この様に、計量部１０は、常に、或いは頻繁にその状態を確認し、その作動状態をチェックする必要のあるものではなく、必要のある時に見ることができれば、その設置条件を充たすものである。したがって、計量部１０と表示部１４とを別体に分離したことにより、計量部１０については通常は目に付かないところに設置することが可能となっている。
【００１８】
一方、表示部１４は民家２０の住人が使用する郵便ポスト２６に設置されている。この設置状態における分離型電力量計の使用状態は、民家２０で使用された電力は計量部１０により計量されて、それに基づく電力量及び使用料金のデータがデータ送信部１２より送信され、表示部１４内のデータ受信部１６で受信される。これにより、電力量及び使用量金は、液晶表示板１８に表示される。
【００１９】
そして、この設置状態において特徴的なことは、上述の様に計量部１０が民家２０の生活の場となる場所から隠蔽された場所、すなわち、見えない場所である床下部２４等に設置されていることと、表示部１４が私的空間ではない場所である建物外の郵便ポスト２６に設置されたことである。計量部１０が床下部２４に設置されたことにより、家１８の内部の美観が計量部１０によって損ねられることがなく、また、計量計１０が邪魔になって、家２０で生活する人の行動が妨げられるということはない。更に、床２２上に点検扉を設けることによって、２〜３年に一度行われる計量部の点検も可能である。
【００２０】
一方、表示部１４が郵便ポスト２６に設置されていることによって、従来、建物の外壁などに計量計が設置されていた場合に比べて、検針員が敷地内などに入る必要もなく簡単に検針を行うことが出来る。従って、検針員など外部の者が住居の敷地内に入ることによる居住者の不安は解消される。更に、従来の高所に設置されている表示部と比べて、安全で検針しやすい場所に設置されているので、検針員の検針作業の安全性も向上する。
【００２１】
また、計量部１０と表示部１４の分離設置により、一体型の装置に比べ各部は小型化される。したがって、民家２０の外壁に大型の計量計を設置する必要がなく、民家２０と隣の家との間にある通路の距離があまりないような場合でも、従来のように計量計の突出によりにより通行がし辛くなることがない。
【００２２】
図３及び図４は、図１の実施の形態に係る計量計をマンションなどの集合住宅に設置した状態を示す説明図である。図３は、計量部１０の設置を示しており、マンションの隣り合う部屋２８−１と部屋２８−２の境界壁１００に、計量計の計量部１０−１と計量部１０−２を設置した様子が示されている。また、部屋２８−１で使用された電力は計量部１０−１で計量され、部屋２８−２で使用された電力は計量部１０―２で計量されるように設定されている。
【００２３】
次に、図４は表示部１４の設置状態を示しており、部屋２８−１と部屋２８−２が所属するマンションの内部又は、外部に設置されている郵便受け３０の前面部３０aに表示部１４−１と表示部１４−２が設置されている様子が表わされている。上述の境界壁１００に設置されている計量部１０−１と計量部１０−２とは、それぞれ表示部１４−１と表示部１４−２に対応している。
【００２４】
この設置状況における分離型電力量計の使用状態について説明する。部屋２８−１と部屋２８−２で使用された電力は、それぞれ計量部１０−１と計量部１０−２で計量され、その結果計算された電力量及び使用料金はデータ送信部１２−１とデータ送信部１２−２により送信され、表示部１４−１と表示部１４−２に設置されているデータ受信部１６−１とデータ受信部１６−２でそれぞれ受信される。これにより電力量及び使用料金は液晶表示板１８−１と液晶表示板１８−２に表示される。
【００２５】
この設置状態において特徴的なことは、図２で示した設置状態と同様に、計量部１０と表示部１４が分離して設置されており、それらが生活の場である部屋２８−１，部屋２８−２からの見えない位置に設置されていることである。これにより、図２で示される設置状態と同様に、計量計により集合住宅の建物の美観が損なわれないという効果や、計量計の突出設置による通行の邪魔などが解消されている。また、図２で示した設置状態では、計量部１０が床下に設置されていたのに対して、図３及び図４で示される設置状態では、計量部１０−１、計量部１０−２は部屋２８−１と部屋２８−２の境界壁１００に設置されている。これは一般にマンション、アパート等の集団住宅で床下に十分な空間が取れない場合に、別の隠蔽部に設置した場合を考慮している。
【００２６】
次に、この設置状態によれば、検針員は検針の際に各部屋２８−１と部屋２８−２のそれぞれの部屋まで向かう必要はなく、マンション内の各住民の郵便受けがすべて一箇所に集まっている郵便受け３０に行くことで、一気に検針を行うことが出来る。また、これにより、当該マンションの住民ではない検針員が、検針のために敷地内を徘徊することがないので、他人が敷地内に入る事に不安を感じる者の不安感を解消することができる。
【００２７】
なお、本発明は上記各実施の形態の構成に限定されるものではなく、発明の要旨の範囲内で種々の変更が可能である。例えば、上記の実施の形態は、計量計として電力量計を使用しているが、他のエネルギー計量であるガスの計量計や水道の計量計に応用することも可能である。また、表示部については、１つの表示部をもって電力、ガス、水道等のすべてを表示させるものであって良い。また、表示部１４は郵便受けだけでなく、集合住宅又は、一戸建て住宅における敷地内の種々の場所、例えば、庭や敷地内に入る門などに設置してもよい。
【図面の簡単な説明】
【００２８】
【図１】本発明における分離型計量計の計量部と表示部の説明図である。
【図２】本発明における計量計の計量部と表示部をそれぞれ一戸建て住宅の床下と郵便ポストに設置した状態を示す図である。
【図３】本発明における計量計の計量部をマンション等集合住宅における部屋と部屋の境界壁に設置した状態を示す図である。
【図４】本発明における表示部をマンション等集合住宅における郵便受けに設置した状態を示す図である。
【符号の説明】
【００２９】
１０  計量部
１２  データ送信部
１４  表示部
１６  データ受信部
１８  液晶表示板
２０  民家
２２  床
２４  床下
２６  郵便ポスト
２８  部屋
３０  郵便受け
【図１】
2006337265.tif 000003
【図２】
2006337265.tif 000004
【図３】
2006337265.tif 000005
【図４】
2006337265.tif 000006